(57)【要約】      （修正有）【課題】入力モータと、立形トルクメータセットと、トルクゲージとを有する直接式トルクメータデバイスを提供する。【解決手段】入力モータ１０が回転してトルクを出力し、立形トルクメータセット１１を入力モータ１０に直列接続し、トルクゲージ１２を立形トルクメータセット１１に接続する。入力モータ１０のトルクが立形トルクメータセット１１を動かす際に、トルクゲージ１２にトルク値のデータを表示する。【選択図】図１
0003176801.tif 000002
【実用新案登録請求の範囲】
【請求項１】
回転してトルクを出力する入力モータと、入力モータに直列接続する立形トルクメータセットと、前記立形トルクメータセットに接続するトルクゲージとを有し、入力モータのトルクが立形トルクメータセットを動かす際に、トルクゲージにトルク値のデータを表示することを特徴とする直接式トルクメータデバイス。
【請求項２】
過負荷遮断スイッチを有する過負荷装置を有することを特徴とする請求項１に記載の直接式トルクメータデバイス。
【請求項３】
シヤーピントリップスイッチを有するシヤーピン装置を有することを特徴とする請求項１に記載の直接式トルクメータデバイス。
【請求項４】
アラーム装置を有することを特徴とする請求項1に記載の直接式トルクメータデバイス。
【考案の詳細な説明】
【技術分野】
【０００１】
本考案は、直接式トルクメータデバイスに関し、特に、直接式モータトルクメータデバイスに関する。さらに、特にパワーオフが可能な直接式トルクメータデバイスに関する。
【背景技術】
【０００２】
特許文献１には、伝動軸での伝動過程に出力するトルクを測定し、伝動軸の出力するトルクを計算する非接触式トルクメータデバイスが開示されている。しかし、特許文献１の非接触式トルクメータデバイスは、非接触式で伝動軸を測定するトルクメータだけに適用できるが、直接動かす方式のトルクメータに関連する技術とは言えない。
【０００３】
なお、他のモータトルクメータデバイスは、特許文献2のモータの出力トルクによる測定方法とその装置、及び特許文献3のモータ特性の測定システムに開示されている。しかし、上記の二つ特許は、直接動かす方式のトルクメータに関連する技術とは言えない。したがって、直接式トルクメータを提供する必要性がある。
【先行技術文献】
【特許文献】
【０００４】
【特許文献１】台湾特許第M301338号
【特許文献２】台湾特許第517439号
【特許文献３】台湾特許第200949334号
【考案の概要】
【考案が解決しようとする課題】
【０００５】
本考案は、直接式トルクメータデバイスを提供することを主な目的とする。直接式トルクメータデバイスは、立形トルクメータセットを入力モータに直列接続して、トルクゲージでトルク値のデータを表示することにより、出力トルクの指示機能を達成する。
【課題を解決するための手段】
【０００６】
上記の目的を達成するため、本考案の直接式トルクメータデバイスは、回転してトルクを出力する入力モータと、入力モータに直列接続する立形トルクメータセットと、前記立形トルクメータセットに接続するトルクゲージとを有し、入力モータのトルクが立形トルクメータセットを動かす際に、トルクゲージにトルク値のデータを表示することを特徴とする直接式トルクメータデバイスである。
【０００７】
過負荷遮断スイッチを有する過負荷装置を有することを特徴とする、前記直接式トルクメータデバイスである。
【０００８】
シヤーピントリップスイッチを有するシヤーピン装置を有することを特徴とする、前記直接式トルクメータデバイスである。
【０００９】
アラーム装置を有することを特徴とする、前記直接式トルクメータデバイスである。
【図面の簡単な説明】
【００１０】
【図１】本考案の直接式トルクメータデバイスの側面図である。
【図２】本考案の直接式トルクメータデバイスに採用するトルクギアセットの側面図である。
【考案を実施するための最良の形態】
【００１１】
本考案における好ましい実施例の直接式トルクメータデバイスは、各種のトルクメータデバイスに適用できる。さらに、各種伝送システム（transmission system）、各種汚泥かき寄せ機（scraper）、各種攪拌機（stirrer）、または各種反応槽（reaction basin）に結合して応用することができる。しかし、本考案の応用範囲は上記に限定されるものではない。
【００１２】
図1に示すように、本考案における直接式トルクメータデバイス1は、入力モータ10と、立形トルクメータセット（vertical torque device）11と、トルクゲージ（torque gauge）12とを有し、適切な接続方式で直接に動かす方式であって、細長体であり、入力モータ10にトルクメータ機能を提供する。
【００１３】
図1に示すように、上記の入力モータ10は、各種のモータを選ぶことができる。モータ10は、スピンドル（spindle）の回転によりトルク（torque）を出力する。
上記の立形トルクメータセット11は、入力モータ10に直列して機械的に接続する。上記の入力モータ10のスピンドルがトルクを出力すると、軸方向で立形トルクメータセット11を直接に動かして回転を生じさせる。
【００１４】
図1及び図2に示すように、上記の立形トルクメータセット11は、アクティブな接続軸であるトルクギアセット11ａを有し、トルクギアセット11ａはモータ入力端111と、歯車減速機出力端112を有する。モータ入力端111を入力モータ10のスピンドルに接続し、歯車減速機出力端112を減速機（gear reducer）50に接続する。
上記のトルクギアセット11ａを入力モータ10と減速機50との間に設けることにより、入力モータ10及び立形トルクメータセット11が減速機50を動かし、トルクギアセット11ａにより減速を行う。また上記の減速機50は、出力軸51により負荷（図示せず）または他の装置に接続する。
【００１５】
図1に示すように、トルクゲージ12を立形トルクメータセット11に接続することにより、立形トルクメータセット11の入力トルクは、トルクゲージ12に同期して伝送する。入力モータ10の出力トルクが立形トルクメータセット11を動かすことで、トルクゲージ12にトルク値のデータを適切な方式で表示する。
【００１６】
図1に示すように、直接式トルクメータデバイス1は、過負荷遮断スイッチ（overload cutoff switch）21を有する過負荷装置（overload device）を有する。上記の直接式トルクメータデバイス1のトルクギアセット11ａが、オーバーロードした場合は、直接式トルクメータデバイス1のパワー（power supply）を遮断することができる。
【００１７】
図1に示すように、直接式トルクメータデバイス1は、安全装置の機能を有するため、シヤーピントリップスイッチ（trip switch）31を有するシヤーピン装置（shear pin device）30を有する。上記のシヤーピン装置を立形トルクメータセット11に接続することにより、入力モータ10の入力トルクが過大である場合は、直接式トルクメータデバイス1のパワーを遮断することができる。
【００１８】
図1に示すように、過負荷遮断スイッチ21の遮断機能が機能しない場合は、トルクギアセット11ａは過大なトルク負荷を受けている。この場合、入力モータ10のスピンドルの回転速度は変化せず、減速機50が速度を減速させ、シヤーピン装置30にせん断が生じてスリップが生じることにより、保護作要を達成する。
【００１９】
図1に示すように、直接式トルクメータデバイス1は、アラーム装置（alarm switch）41を有する。直接式トルクメータデバイス1のトルクギアセット11ａが受ける負荷が所定値より大きくなった場合、アラーム装置41が作動してアラーム信号が生じる。
【符号の説明】
【００２０】
1：直接式トルクメータデバイス
10：入力モータ
11：立形トルクメータセット
11ａ：トルクギアセット
111：モータ入力端
112：歯車減速機出力端
12：トルクゲージ
21：過負荷遮断スイッチ
30：シヤーピン装置
31：シヤーピントリップスイッチ
41：アラーム装置
50：減速機
51：出力軸
【図１】
0003176801.tif 000003
【図２】
0003176801.tif 000004